(57)【要約】【課題】  警報の内容を居住者に体験させることが可能な住宅情報盤を提供する。【解決手段】  指示入力用ボタン８が押されたとき、各種のメニューを選択可能にモニタ２に表示し、そのメニューの中から模擬警報体験に関する「警報体験」が指示入力用ボタン５によって選択されたときは、シミュレーションと判断して、「火災警報の体験」、「ガス漏れ警報の体験」及び「非常警報の体験」の各メニューをモニタ２に表示し、このメニューの中から一つのメニューが選択されたときは、メッセージの「シミュレーション中」をモニタ２に表示すると共に、そのメニューの絵文字画像を模擬的にモニタ２に表示し、かつ、その絵文字画像の警報音を模擬的にスピーカ１０から発するようにした。【選択図】        図２
2005242824.tif 000002
【特許請求の範囲】
【請求項１】
警報の種別に応じて絵文字画像及び警報音が設定されており、警報発生時に、その警報の絵文字画像を表示部に表示すると共に、警報音をスピーカから発する住宅情報盤において、
模擬警報体験に関する操作が行われたとき、シミュレーションと判断して、前記絵文字画像から操作に応じた絵文字画像を読み出して前記表示部に模擬的に表示することを特徴とする住宅情報盤。
【請求項２】
シミュレーションと判断して前記絵文字画像を表示する際、シミュレーション中であることを示すメッセージを前記表示部に表示することを特徴とする請求項１記載の住宅情報盤。
【請求項３】
前記メッセージと前記絵文字画像とを交互に繰り返し表示することを特徴とする請求項２記載の住宅情報盤。
【請求項４】
前記表示部に表示されている絵文字画像の警報音を模擬的に前記スピーカから発生させることを特徴とする請求項１乃至３の何れかに記載の住宅情報盤。
【請求項５】
警報の種別に応じて絵文字画像及び警報音が設定されており、警報発生時に、その警報の絵文字画像を表示部に表示すると共に、警報音をスピーカから発する住宅情報盤において、
模擬警報体験に関する操作が行われたとき、シミュレーションと判断して、前記警報の種別を選択可能に前記表示部に表示する第１の制御部と、
該第１の制御部によって表示された警報の種別の選択に基づいて絵文字画像を読み出して、前記表示部に模擬的に表示する第２の制御部と
を備えたことを特徴とする住宅情報盤。
【請求項６】
前記第２の制御部は、シミュレーションと判断して前記絵文字画像を表示する際、シミュレーション中であることを示すメッセージを前記表示部に表示し、かつ、このメッセージと前記絵文字画像とを交互に繰り返し表示することを特徴とする請求項５記載の住宅情報盤。
【請求項７】
前記メッセージが前記表示部に表示された際に、警報音の視聴メニューを表示し、そのメニューが選択されたときは、前記表示部に表示されている絵文字画像の警報音を模擬的に前記スピーカから発生させる第３の制御部を備えたことを特徴とする請求項６記載の住宅情報盤。
【発明の詳細な説明】
【技術分野】
【０００１】
本発明は、例えばハンズフリーインターホンを備えた住宅情報盤に係わり、さらに詳しくは、火災などの各種警報をシミュレーション可能な住宅情報盤に関するものである。
【背景技術】
【０００２】
防災センタや管理室などに設置された受信機に接続された表示操作装置にシミュレーション機能を備えたものがある。この表示操作装置は、シミュレーションモードが設定された場合、模擬的に防災端末器が作動したように受信機を動作させ、その模擬的な作動状況を確認できるようになっている（例えば、特許文献１参照）。
【特許文献１】特開２０００−０４８２７３号公報（第３頁、図１、図４）
【発明の開示】
【発明が解決しようとする課題】
【０００３】
前述した表示操作装置は、防災センタや管理室などに設置されたものであり、各住戸に設置される住宅情報盤には、各種警報に対するシミュレーション機能が備えられていなかった。このため、実際に警報が発せられた場合、住居者は、対応に戸惑うばかりで、例えば簡単な警報音の停止の仕方もわからないのが現実であった。
【課題を解決するための手段】
【０００４】
本発明に係る住宅情報盤は、警報の種別に応じて絵文字画像及び警報音が設定されており、警報発生時に、その警報の絵文字画像を表示部に表示すると共に、警報音をスピーカから発する住宅情報盤において、模擬警報体験に関する操作が行われたとき、シミュレーションと判断して、前記絵文字画像から操作に応じた絵文字画像を読み出して表示部に模擬的に表示する。
【０００５】
本発明に係る住宅情報盤は、シミュレーションと判断して前記絵文字画像を表示する際、シミュレーション中であることを示すメッセージを表示部に表示する。
【０００６】
本発明に係る住宅情報盤は、メッセージと絵文字画像とを交互に繰り返し表示する。
【０００７】
本発明に係る住宅情報盤は、表示部に表示されている絵文字画像の警報音を模擬的にスピーカから発生させる。
【０００８】
本発明に係る住宅情報盤は、警報の種別に応じて絵文字画像及び警報音が設定されており、警報発生時に、その警報の絵文字画像を表示部に表示すると共に、警報音をスピーカから発する住宅情報盤において、模擬警報体験に関する操作が行われたとき、シミュレーションと判断して、警報の種別を選択可能に表示部に表示する第１の制御部と、第１の制御部によって表示された警報の種別の選択に基づいて絵文字画像を読み出して、表示部に模擬的に表示する第２の制御部とを備えたものである。
【０００９】
本発明に係る住宅情報盤は、第２の制御部は、シミュレーションと判断して絵文字画像を表示する際、シミュレーション中であることを示すメッセージを表示部に表示し、かつ、このメッセージと絵文字画像とを交互に繰り返し表示する。
【００１０】
本発明に係る住宅情報盤は、メッセージが表示部に表示された際に、警報音の視聴メニューを表示し、そのメニューが選択されたときは、表示部に表示されている絵文字画像の警報音を模擬的にスピーカから発生させる第３の制御部を備えたものである。
【発明の効果】
【００１１】
本発明においては、模擬警報体験に関する操作が行われたとき、シミュレーションと判断して、絵文字画像から操作に応じた絵文字画像を読み出して表示部に模擬的に表示するようにしたので、実際に警報が発せられたとしても、警報内容を容易に判別することが可能になり、警報に対して戸惑うことなく速やかに対処できる。
【００１２】
本発明においては、シミュレーションと判断して絵文字画像を表示する際、シミュレーション中であることを示すメッセージを表示部に表示するようにしたので、居住者にとっては、絵文字画像の表示が実際の警報ではなくシミュレーション中であることが容易にわかり、シミュレーションを安心して行える。
【００１３】
本発明においては、メッセージと絵文字画像とを交互に繰り返し表示するようにしたので、絵文字画像の表示がシミュレーション中であることが容易にわかり、シミュレーションを安心して行える。
【００１４】
本発明においては、表示部に表示されている絵文字画像の警報音を模擬的にスピーカから発生させるようにしたので、視覚以外に聴覚も通して警報内容が容易に判別することができ、実際の警報時に対処し易くなる。
【００１５】
本発明においては、模擬警報体験に関する操作が行われたとき、シミュレーションと判断して、警報の種別を選択可能に表示部に表示し、表示された警報の種別の選択に基づいて絵文字画像を読み出して表示部に模擬的に表示するようにしたので、実際に警報が発せられたとしても、警報内容を容易に判別することが可能になり、警報に対して戸惑うことなく速やかに対処できる。
【００１６】
本発明においては、シミュレーションと判断して絵文字画像を表示する際、シミュレーション中であることを示すメッセージを表示部に表示し、かつ、このメッセージと絵文字画像とを交互に繰り返し表示するようにしたので、居住者にとっては、絵文字画像の表示が実際の警報ではなくシミュレーション中であることが容易にわかり、シミュレーションを安心して行える。
【００１７】
本発明においては、メッセージが表示部に表示された際に、警報音の視聴メニューを表示し、そのメニューが選択されたときは、表示部に表示されている絵文字画像の警報音を模擬的にスピーカから発生させるようにしたので、視覚以外に聴覚も通して警報内容が容易に判別することができ、実際の警報時に対処し易くなる。
【発明を実施するための最良の形態】
【００１８】
図１は本発明の実施形態に係る住宅情報盤の概略構成を示すブロック図、図２は住宅情報盤の正面図である。
図１において、１は住宅情報盤の本体内に設けられ、例えばＭＰＵ（マイクロプロセッサ）などで構成された制御部、２は制御部１の制御に基づいて各種の画像を表示する表示部としてのＬＣＤのモニタ、３は警報音の停止、この停止機能を復旧させるための警報音停止復旧ボタン、４〜８は指示入力用ボタン、９はメニューボタン、１０は本体内に設けられたスピーカである。モニタ２は、図２に示すように住宅情報盤の本体前面に設けられており、５個の指示入力用ボタン４〜８及びメニューボタン９は、モニタ２の左右両側にそれぞれ配置され、制御部１によって各種のメニューが割り当てられていて指示できるようになっている。即ち、モニタ２には、指示入力用ボタン４〜８の位置に合わせて各種メニューが表示され、指示入力用ボタン４〜８が押されると、制御部１がその押された指示入力用ボタンに対応するメニューを実行するようになっている。
【００１９】
シミュレーション機能に入ったときは、指示入力用ボタン４には、「火災警報の体験」のメニューが割り当てられ、指示入力用ボタン５には、「警報体験」及び「非常警報の体験」のメニューが割り当てられ、指示入力用ボタン６には、画像を切り替えて次の画面へ進めるための「次へ」のメニューが割り当てられ、指示入力用ボタン７には、「ガス漏れ警報の体験」のメニューが割り当てられ、指示入力用ボタン８には、「試聴」のメニューが割り当てられている。また、メニューボタン９は、各指示入力用ボタン４〜８に割り与えられている初期のメニューを表示させるためのスイッチであると共に、「メニュー閉じる」、「戻る」、「終了」などのメニューが割り当てられている。なお、５個の指示入力用ボタン４〜８及びメニューボタン９にＬＥＤを設けて、メニューが割り当てられたときに、そのＬＥＤを点灯させるようにしてもよい。
【００２０】
警報音停止復旧ボタン３は、指示入力用ボタン４の上方に配置されており、スピーカ１０は、モニタ２よりも下方の位置に配置されている。また、住宅情報盤の本体前面には、図２に示すように、住戸内で非常が発生した場合に、これを受信機（図示せず）に知らせたり、復旧したことを知らせるための非常／復旧ボタン２１と、ＬＥＤからなる電源ランプ２２，警戒中ランプ２３及びお知らせランプ２４と、火災発生を確認したことを受信機に知らせるための火災確認ボタン２５と、ドアホンや集合玄関機（図示せず）との間で通話するときに操作する通話ボタン２６と、マイク２７と、集合玄関の扉を解錠するための解錠ボタン２８とを備えている。
【００２１】
前述した制御部１は、予め警報の種別、例えば住居内の火災警報、ガス漏れ警報や、不法侵入などによる非常警報に応じて設定された絵文字画像及び警報音を記憶部（図示せず）に格納している。住宅情報盤の制御部１は、警報発生時に、その警報の絵文字画像をモニタ２に表示すると共に、警報音をスピーカ１０から発生するものである。例えば、火災感知器の作動を確認したときは、その絵文字画像を記憶部から読み込んでモニタ２に表示すると共に、その警報音をスピーカ１０から発するように制御し、火災の発生を住居者に知らせるようにしている。ドアホンや集合玄関機（図示せず）からの呼出には、ハンズフリー状態で通話できるように制御し、また、集合玄関機のカメラからの映像データが受信されたときはモニタ２に表示し、また、本体前面に設けられた各種のボタン操作に基づいて処理するようになっている。さらに、モニタ２に警報を表示しているときに、モニタ２に表示させる警報情報が入力されたときは、お知らせランプ２４を点滅させるようになっている。この点滅周期は、入力された情報の件数に応じて異なり、４件以上の情報が入力されているときは、お知らせランプ２４を点灯状態にする。
【００２２】
また、制御部１は、第１の制御部、第２の制御部及び第３の制御部を備えている。第１の制御部は、指示入力用ボタン８の操作により「設定」メニューが選択されたとき、各種のメニューを選択可能にモニタ２に表示し、そのメニューの中から模擬警報体験に関する「警報体験」メニューが指示入力用ボタン５によって選択されたときは、シミュレーションと判断して、例えば「火災警報の体験」、「ガス漏れ警報の体験」及び「非常警報の体験」の各メニューをモニタ２に表示する。つまり、第１の制御部は、模擬警報体験に関する操作が行われたとき、シミュレーションの開始と判断して、警報の種別（火災、ガス漏れ、非常）を選択可能にモニタ２に表示する。第２の制御部は、第１の制御部によって表示された前記のメニューの中から一つのメニューが選択されたときは、シミュレーション中であることを示すメッセージの「シミュレーション中」をモニタ２に表示し、次いで、選択されたメニューの絵文字画像を前記記憶部から読み込んでモニタ２に模擬的に表示し、これを例えば２秒周期で交互に繰り返し表示する。第３の制御部は、「シミュレーション中」のメッセージがモニタ２に表示された際に、警報音の「試聴」メニューを指示入力用ボタン８の横に表示し、そのメニューが指示入力用ボタン８によって選択されたときは、モニタ２に表示されている絵文字画像の警報音を前記記憶部から読み込んで、模擬的にスピーカ１０から発せられるように制御する。
【００２３】
前記のように構成された住宅情報盤において、シミュレーション時の動作を図３乃至図６に示す画像フローチャートに基づいて説明する。なお、制御部１は、第１〜第３と分けずに制御部１として説明する。
例えば図３に示すようにモニタ２がメニュー表示ＯＦＦ状態のときに（Ｓ１）、メニューボタン９が押されると、制御部１は、指示入力用ボタン４，５，７，８に割り当てられているそれぞれのメニューをモニタ２に表示すると共に、メニューボタン９に割り当てられている「メニュー閉じる」を表示する（Ｓ２）。この状態において、指示入力用ボタン８が押されると、制御部１は、「設定」が選択されたと判断して、前記と同一の指示入力用ボタン４，５，７，８に割り当てられた次段のメニューをモニタ２に切り替えて表示すると共に、メニューボタン９のメニューを「戻る」に切り替えて表示する（Ｓ３）。
【００２４】
モニタ２に表示されている「警報体験」の指示入力用ボタン５が押されると、制御部１は、シミュレーションと判断して、メニューの「火災警報の体験」を指示入力用ボタン４に、「非常警報の体験」を指示入力用ボタン５に、「ガス漏れ警報の体験」を指示入力用ボタン７にそれぞれ割り当てて、モニタ２にそれぞれ表示する（Ｓ４）。この時、指示入力用ボタン８には割り当てられるメニューがなく、メニュー表示対象外とする。ここで、「火災警報の体験」の指示入力用ボタン４が押されると、制御部１は、図４に示すように、火災発生時の警報体験及び緊急時の対応を促すメッセージをモニタ２に表示し、かつ、指示入力用ボタン６に割り当てられているメニューの「次へ」をモニタ２に表示する（Ｓ５１）。この時、指示入力用ボタン４，５，７には、割り当てられたメニューがなく、メニュー表示対象外とする。
【００２５】
「次へ」メニューが割り当てられている指示入力用ボタン６が押されると、制御部１は、シミュレーション中であることを示すメッセージの「シミュレーション中」をモニタ２に表示し、指示入力用ボタン８に割り当てられているメニューの「試聴」をモニタ２に表示する（Ｓ５２）。そして、火災警報に対応して設定された絵文字画像を記憶部（図示せず）から読み込んで、前記の「シミュレーション中」画像と２秒周期で交互に繰り返し表示する（Ｓ５２、Ｓ５３）。このように、絵文字画像を表示する際、シミュレーション中であることを示すメッセージを表示するので、実際の警報でないことを認識した上で、模擬体験ができる。
【００２６】
この状態において、指示入力用ボタン６が押されると、制御部１は、「次へ」が選択されたと判断して、取扱説明書の紹介メッセージをモニタ２に表示し（Ｓ５４）、指示入力用ボタン８が押されたときは、「試聴」が選択されたと判断して、例えば１サイクルの火災警報音をスピーカ１０から発する（Ｓ５５）。なお、Ｓ５４において、メニューボタン９が押されたときは、シミュレーション終了と判断して、図３のＳ２に示す画面となる。また、「戻る」メニューが表示されている画面において、メニューボタン９が押されたときは、それぞれ前の画面に戻る。
【００２７】
Ｓ４において、指示入力用ボタン７が押されたときは、制御部１は、「ガス漏れ警報の体験」メニューが選択されたと判断して、図５に示すように、ガス漏れ時の警報体験及び緊急時の対応を促すメッセージをモニタ２に表示し（Ｓ６１）、引き続き、指示入力用ボタン６が押されると、「次へ」が選択されたと判断して、火災警報時と同様に「シミュレーション中」をモニタ２に表示する（Ｓ６２）、この時、ガス漏れ警報に対応して設定された絵文字画像を記憶部（図示せず）から読み込んで、前記の「シミュレーション中」画像と２秒周期で交互に繰り返し表示する（Ｓ６２、Ｓ６３）。この状態において、指示入力用ボタン６が押されると、制御部１は、「次へ」が選択されたと判断して、取扱説明書の紹介メッセージをモニタ２に表示し（Ｓ６４）、指示入力用ボタン８が押されたときは、「試聴」が選択されたと判断して、前記と同様に１サイクルのガス漏れ警報音をスピーカ１０から発する（Ｓ６５）。
【００２８】
また、Ｓ４において、指示入力用ボタン５が押されたときは、制御部１は、「非常警報の体験」メニューが選択されたと判断して、図６に示すように、非常時の警報体験及び緊急時の対応を促すメッセージをモニタ２に表示し（Ｓ７１）、引き続き、指示入力用ボタン６が押されると、「次へ」が選択されたと判断して、火災警報時と同様に「シミュレーション中」をモニタ２に表示する（Ｓ７２）、この時、非常警報に対応して設定された絵文字画像を記憶部（図示せず）から読み込んで、前記の「シミュレーション中」画像と２秒周期で交互に繰り返し表示する（Ｓ７２、Ｓ７３）。この状態において、指示入力用ボタン６が押されると、制御部１は、「次へ」が選択されたと判断して、取扱説明書の紹介メッセージをモニタ２に表示し（Ｓ７４）、指示入力用ボタン８が押されたときは、「試聴」が選択されたと判断して、１サイクルの非常警報音をスピーカ１０から発する（Ｓ７５）。
【００２９】
以上のように本実施形態によれば、指示入力用ボタン８の操作により「設定」メニューが選択されたとき、各種のメニューを選択可能にモニタ２に表示し、そのメニューの中から「警報体験」メニューが指示入力用ボタン５によって選択されたときは、シミュレーションと判断して、「火災警報の体験」、「ガス漏れ警報の体験」及び「非常警報の体験」の各メニューをモニタ２に表示する。そして、このメニューの中から一つのメニューが選択されたときは、シミュレーション中であることを示すメッセージの「シミュレーション中」をモニタ２に表示すると共に、選択されたメニューの絵文字画像を記憶部から読み込んでモニタ２に模擬的に表示し、これを２秒周期で交互に繰り返し表示する。また、「シミュレーション中」がモニタ２に表示された際に、警報音の「試聴」メニューが指示入力用ボタン８によって選択されたときは、モニタ２に表示されている絵文字画像の警報音を模擬的にスピーカ１０から発するようにしたので、実際に警報が発せられたとしても、警報内容を容易に判別することが可能になり、警報に対して戸惑うことなく速やかに対処できる。また、シミュレーションを行っている際に、そのメッセージが表示されるので、居住者にとっては、絵文字画像の表示がシミュレーション中であることが容易にわかり、安心して模擬警報体験を実施することができ、視覚以外に聴覚も通して警報内容が容易に判別することが可能になる。
【００３０】
なお、本実施の形態においては、モニタにメニューを表示し、そのメニューに対応した指示入力用ボタンを操作してメニューを実行する、いわゆるオンスクリーン機能のある住宅情報盤により説明したが、別途、試聴ボタンや模擬警報体験ボタンを住宅情報盤本体に設けて、それらのボタンの操作が行われたとき、表示部に絵文字画像を模擬的に表示させたり、警報音をスピーカに出力するようにしてもよい。また、絵文字画像と警報音両方を模擬体験できるようにしたが、それぞれを個別に模擬体験できるようにしてもよい。
【００３１】
また、住宅情報盤のモニタ上部に、火災時に点灯する火災灯と、ガス漏れ警報時に点灯するガス漏れ灯を設け、「火災」や「ガス漏れ」のシミュレーション実行時に、これら火災灯やガス漏れ警報灯を点滅させて、シミュレーション実行中であることを示すようにしてもよい。
【図面の簡単な説明】
【００３２】
【図１】本発明の実施形態に係る住宅情報盤の概略構成を示すブロック図である。
【図２】住宅情報盤の正面図である。
【図３】住宅情報盤のシミュレーション時の動作を示す画像フローチャートである。
【図４】図３に続く火災警報体験時の画像フローチャートである。
【図５】図３に続くガス漏れ警報体験時の画像フローチャートである。
【図６】図３に続く非常警報体験時の画像フローチャートである。
【符号の説明】
【００３３】
１  制御部、２  モニタ、３  警報音停止復旧ボタン、４〜８  指示入力用ボタン、９  メニューボタン、１０  スピーカ。
【図１】
2005242824.tif 000003
【図２】
2005242824.tif 000004
【図３】
2005242824.tif 000005
【図４】
2005242824.tif 000006
【図５】
2005242824.tif 000007
【図６】
2005242824.tif 000008